(57)【要約】【課題】多機能であり、かつ低廉である写真プリント収納袋を提供することを目的とする。【解決手段】  印刷した型どおりに型抜きを行なって展開シートを得るときに折筋を同時に設けるようにして製造の簡素化を図る。型抜きされた展開シートを折筋に沿って折り曲げることで写真プリント収納袋としたり写真立てとしたりすることができる写真プリント収納袋にする。さらに、折筋に沿って逆方向に折り曲げることで封書にすることができる様にもして、この写真プリント収納袋の多機能化を図る。【選択図】  図６
2006003410.tif 000002
【特許請求の範囲】
【請求項１】
写真プリントを収納する写真プリント収納袋において、
１枚のシートを、中央部を挟み、上部および下部を該中央部に重なるように３つ折りとし、該下部に、中央部と下部との折り目に平行なスリットを設けて該下部の両端部を内側に折り曲げることにより写真プリント収納部を形成するとともに、該下部に写真プリント下縁両隅を差し込んで写真立てとする切り込みを形成したことを特徴とする写真プリント収納袋。
【請求項２】
前記下部の両端部を内側に折り曲げる折曲げ位置を、収納する写真プリントのサイズに応じた位置とすることが自在であることを特徴とする請求項１記載の写真プリント収納袋。
【請求項３】
前記下部に写真プリントの媒体のサイズに応じた切り込みが形成されていることを特徴とする請求項１記載の写真プリント収納袋。
【請求項４】
前記中央部が封書サイズであって該中央部に封書の表紙の印刷がなされていることを特徴とする請求項１記載の写真プリント収納袋。
【発明の詳細な説明】
【技術分野】
【０００１】
写真フィルムを収納する写真プリント収納袋に関する。
【背景技術】
【０００２】
ユーザがＤＰＥショップなどに写真を受け取りにいくと、持ち運びに便利なように写真プリント収納袋に収納された写真プリントがユーザに手渡される。このような写真プリント収納袋の中には、焼き増しを行ないやすいようにインデックスプリントを収納することができるようにして多機能化を図ったものもある（特許文献１参照）。
【０００３】
ところで、このような写真プリント収納袋を製造するにあたっては、限りなく廉価であることが要求される。このように低廉な写真プリント収納袋を製造する場合には、できるだけ製造工数を削減して、また原材料となるシート状の紙からできるだけ多くの枚数を型紙どおりに型抜きすることができることが望まれる。さらにこのような写真プリント収納袋は、上記特許文献１のように多機能型であることも望まれる。
【０００４】
しかしながら、この写真プリント収納袋を製造するにあたっては、シートに型紙を印刷する印刷工程、その印刷された型紙どおりに型抜きを行なう型抜き工程、さらに型抜きされたもの（以降、展開シートという）に折筋を付けていく折筋押し工程、糊付け工程などの多数の工程が必要になり、この工程の数が増えれば増えるほど製造に係る原価が上がるという問題がある。また、糊付け用の糊代を型紙に設けるとなると、一枚の展開シートを少々大きめにしなければならないため、原材料のシート一枚から取れる展開シートの枚数が減ってしまい、製造に係る原価がさらに上がってしまうという問題がある。またこのような写真プリント収納袋を、写真プリントを収納する袋以外の用途で使おうとしてもあまり使えない。
【特許文献１】特開平１１−２９２０８６号公報
【発明の開示】
【発明が解決しようとする課題】
【０００５】
本発明は、上記事情に鑑み、低廉であって多くの機能を持つ写真プリント収納袋を提供することを目的とする。
【課題を解決するための手段】
【０００６】
上記目的を達成する本発明の写真プリント収納袋は、写真プリントを収納する写真プリント収納袋において、
１枚のシートを、中央部を挟み、上部および下部をその中央部に重なるように３つ折りとし、その下部に、中央部と下部との折り目に平行なスリットを設けてその下部の両端部を内側に折り曲げることにより写真プリント収納部を形成するとともに、その下部に写真プリント下縁両隅を差し込んで写真立てとする切り込みを形成したことを特徴とする。
【０００７】
上記本発明の写真プリント収納袋によれば、一枚の展開シートを、中央部を挟み、上部および下部をその中央部に重なるように３つ折りとし、さらに中央部と下部との折り目に平行なスリットを下部に設けてその下部の両端部を内側に折り曲げることにより写真プリント収納袋が形成されるので、この展開シートを写真プリント収納袋にする場合には糊付けを行なうことが不要となり、糊付け工程がなくなった分、製造原価が低減され写真プリント収納袋が低廉なものになる。また、糊代のあるものよりも小さな展開シートにすることもでき、その小さな展開シートにした分、原材料から多くの枚数の展開シートが型抜きされることによっても製造原価が低減され写真プリント収納袋が低廉なものになる。さらに上記切り込みを形成することによってその切り込みに写真プリント下縁両隅を差し込めば写真立てにもなる展開シートが得られ、袋としての機能、写真立てとしての機能という２つの機能を持たせることで多機能化が図れる。
【０００８】
なお、折り曲げることで写真プリント収納袋になる展開シートなので、折り曲げるための折筋を展開シート内に設けておく必要があるが、展開シートを型抜きするときに同時にその展開シート内に折筋を設けることは容易であるため、折筋を設ける工程が増えて製造原価が上がることはない。
【０００９】
ここで、上記下部の両端部を内側に折り曲げる折曲げ位置を、収納する写真プリントのサイズに応じた位置とすることが自在であることが好ましい。
【００１０】
例えば折筋を複数設けておくと、それらの折筋のうちいずれかの折筋に沿って自在に折り曲げることができる。
【００１１】
このように折曲げ位置すなわち折筋を写真プリントのサイズに応じた位置に設けておけば、折り曲げ位置を自在とすることができ、いろいろなサイズの写真をこの写真プリント収納袋内に収納することができる。
【００１２】
また、上記下部に写真プリントの媒体のサイズに応じた切り込みが形成されていることが好ましい。
【００１３】
この写真プリント収納袋を写真立てとした場合には、上記切り込みに写真プリントの下縁両隅を差し込むことで、その写真立てに様々なサイズの写真を飾ることができるようになる。
【００１４】
さらに、上記収納袋の上記中央部が封書サイズであってその中央部に封書の表紙の印刷がなされていることが好ましい。
【００１５】
このようにこの写真プリント収納袋が封書にもなると、この収納袋が封書になって封書に同封された写真プリントを他の人に郵送することが自在となる。例えば現像者であれば、顧客に写真プリントを郵送することも、写真を撮影した人であれば、その写真が必要な人（写真に写っている人など）に郵送することもできる。
【発明の効果】
【００１６】
以上、説明したように、低廉であって多くの機能を持つ写真プリント収納袋が実現される。
【発明を実施するための最良の形態】
【００１７】
以下図面を参照して本発明の実施の形態を説明する。
【００１８】
図１（ａ）、図１（ｂ）は本発明の写真プリント収納袋が展開シート１に展開されたときの展開状態を示す図である。
【００１９】
図１（ａ）には、展開シートの表面側が、図１（ｂ）には展開シートの裏面側が示されている。
【００２０】
図１（ａ）、図１（ｂ）に示すように、１枚の展開シート１を、中央部１１を挟み、上部１０および下部１２を中央部１１に重なるように３つ折りとし、下部１２に、中央部１１と下部１２との折り目に平行なスリット１２１Ａ，１２１Ｂを設けて、下部の両端部１２２Ａ，１２２Ｂを折筋１２５１Ａ，１２５１Ｂ、１２５２Ａ，１２５２Ｂにそって内側に折り曲げることにより写真プリント収納部を形成するとともに、下部１２に写真プリント下縁を差し込んで写真立てとする切り込み１２３Ａ，１２３Ｂ、１２４Ａ，１２４Ｂを形成してある。この図１にはＫＧサイズ（葉書サイズであってＬサイズよりも大きいサイズ）とＬサイズにあうように２種類の切り込み１２３Ａ，１２３Ｂ、１２４Ａ，１２４Ｂと、下部の両端部１２２Ａ，１２２Ｂを内側に折り曲げる折曲げ位置を示す折筋を２種類設けた例が示されている。このようにしておくと、写真プリントのサイズ、ここではＫＧサイズとＬサイズとの双方のうちのいずれかに応じて、この写真プリント収納袋の下部の内側への折曲げ位置を変えたり、写真プリント下縁両隅を差し込む切込みの位置を変えたりすることで、プリント収納部に収納することも、写真立てに写真プリントを差し込むこともできる。
【００２１】
また、中央部１１を封書サイズにしてあり、図１（ｂ）に示すように封書としての機能を果たすように中央部１１の裏面には封書の表紙の印刷がなされているので、この封書の表紙が表面になるように上部１０および下部１２を反対側に折り曲げると封書にもなる。このときには展開シートを折り曲げて写真立てや収納部を有する写真プリント収納袋とするときとは逆方向に折り曲げられてプリント写真収納部が形成され、そのプリント写真収納部に写真プリントが収納された後、周囲が糊付けなどされて封書になる。
【００２２】
図２は、本発明の写真プリント収納袋で写真プリント収納部を形成した場合の外観を示す図、図３は、この写真プリント収納袋が写真プリント収納袋として用いられた場合の外観を示す図、図４はこの写真プリント収納袋を写真立てとした場合の外観を示す図、図５は、この写真プリント収納袋を封書とした場合の状態を示す図である。
【００２３】
図２には下部の両端部１２２Ａ，１２２Ｂが内側に折り返されて写真プリント収納部１２０が形成されその写真プリント収納部に写真が収納された状態が、また図３にはその写真プリント収納部に写真が収納された後、上部１０の差込部１０１０が下部１２の切り込み１２６に差し込まれた後の状態が示されている。
【００２４】
例えば現像者側でこの写真プリント収納袋を使用するときには、図２に示すように展開シートを折り曲げてプリント写真収納部１２０を形成してそのプリント写真収納部１２０に写真プリントを収納し、さらにその写真プリント収納部１２０内に収納された写真を封じるように図３に示す如く差込部１０１０を切り込み１２６に差し込んで写真プリント収納袋ごと写真プリントを顧客に手渡すことができる。
【００２５】
また、その手渡された顧客が自分の家に写真プリント収納袋ごと写真プリントを持ち帰った後においては、この写真プリント収納袋を図４に示す写真立てにして写真を飾ることもできる。
【００２６】
さらに、図１（ａ），（ｂ）に示す展開シートを封書になるように折り曲げることもでき、現像者側が封書にしたときには、この写真プリントを必要とする人に郵送で写真プリントを送ることも、また写真を受け取った人がこの収納袋を封書にしたときには、自分以外の人に写真プリントを郵送で送ることもできる。
【００２７】
このように一枚の展開シートから写真プリント収納袋にも写真立てにも、さらには封書にもなる写真プリント収納袋が実現される。ここでは袋として完成させずに展開シート１を現像者やユーザに供給して現像者やユーザに展開シート１の折り曲げを行なってもらうことで写真プリント収納袋にも写真立てにも封書にもなる収納袋を提案している。このようにしておくとこの写真プリント収納袋を製造するにあたっては、袋閉じする際の糊付け工程が省略され、製造に要する人工が低減された分、ローコストで展開シートが製造され、この写真プリント収納袋を使用する側にあっては、様々な応用用途を持つ写真プリント収納袋が展開シートの形で供給されるようになる。また、この写真プリント収納袋が封書にもなるので、いままでＤＰＥショップに取りに来ていた顧客に郵送での写真プリント配布というサービスを提供することもできるようになる。このようにしておくと、インターネットを用いた注文などにも対応が利くようになる。
【００２８】
すなわち、ＤＰＥショップなどに来店した顧客に対しては写真プリント収納袋としての機能を果たし、来店できない顧客に対しては封書としての機能を果たし、さらに、その写真プリント収納袋が顧客に渡った後においては、写真立てとしての機能を果たす展開シートが、さほど複雑な工程を経ずに製造される。その結果、この展開シートの製造に要する工数が低減された分、ローコストで展開シートが製造される。このローコストの展開シートにより写真プリント収納袋、写真立て、封書といった３役がこなされ、ローコストの割には優れたコストパフォーマンスが発揮される。
【００２９】
最後にこの写真プリント収納袋が持つ機能を整理して説明しておく。
【００３０】
図６は、この写真プリント収納袋が持つ機能を整理した図である。
【００３１】
図６（ａ）には、Ｌサイズの写真が写真プリント収納部１２０に収納された状態が、図６（ｂ）には、ＫＧサイズの写真が写真プリント収納部１２０に収納された状態が、また図６（ｃ）には上部の差込部１０１０が下部の切り込み１２６に差し込まれた状態が、図６（ｄ）には図６（ｃ）に示すときとは反対の側に折り曲げられて中央部１１裏面に印刷されていた封書の表紙が表面に現れた状態が、図６（ｅ）にはこの写真プリント収納袋を写真立てとした状態が、図（ｆ）にはその写真立てが写真以外の用途で立てとして用いられた場合の状態がそれぞれ示されている。
【００３２】
このように、本発明の写真プリント収納袋は、様々な用途で活用される。
【００３３】
図７、図８、図９は、本発明の変形例である。
【００３４】
図７、図８には、下部の両端部の形状を変えたものが、図９には中央部裏面の封書の表示を縦書きから横書きに変更したものがそれぞれ示されている。
【００３５】
この写真プリント収納袋になる展開シートが折り曲げられて写真立てとして用いられることを考えると、写真の据わりが良い方が良い。そこで、図７には、下部１２ＭをＬサイズの写真の背として用いることができるように下部１２Ｍの高さを高くしてＬサイズの写真の上縁と下縁との双方を挟み込むような切り込み１２６Ｍ，１２７Ｍを設けた例が示されている。また、下部の両端部の形状を図１（ａ）、図１（ｂ）に示すもの１２２Ａ，１２２Ｂから図７に示す下部の両端部１２２ＡＭ，１２２ＢＭの形状に変更して据わりが良くなるようにもしてある。このようにすると、この写真プリント収納袋が写真立てとなったときに、下部１２全体が背もたれになって安定した写真立てになる。また図８に示すように下部両端の形状１２２ＶＡ，１２２ＶＢを変更しても同様の効果が得られる。さらに、封書のバリエーションとして図９に示すように中央部１２裏面の封書の表紙を横書きにすることもできる。
【００３６】
これらのように型紙の下部の形状を若干変更したり、さらに展開シートに印刷する印刷文を変更したりする程度の範囲内であれば、コストアップさせずにローコストで収納袋を製造することができる。
【図面の簡単な説明】
【００３７】
【図１（ａ）】本発明の写真プリント収納袋が展開シートに展開されたときの展開状態を示す図であって、表面を示す図である。
【図１（ｂ）】本発明の写真プリント収納袋が展開シートに展開されたときの展開状態を示す図であって、裏面を示す図である。
【図２】本発明の写真プリント収納袋で、写真プリント収納部を形成した場合の外観を示す図である。
【図３】本発明の写真プリント収納袋が場合の外観を示す図である。
【図４】本発明の写真プリント収納袋で、写真立てを形成した場合の外観を示す図である。
【図５】本発明の写真プリント収納袋を封書にした場合の状態を示す図である。
【図６】本発明の写真プリント収納袋の機能を整理した図である。
【図７】実施形態の変形例の一つを示す図である。
【図８】図７とは別の変形例を示す図である。
【図９】図８とは別の変形例を示す図である。
【符号の説明】
【００３８】
１    写真プリント収納袋
１０    上部
１０１    上縁端部
１０１０    差込部
１１    中央部
１２    下部
１２１Ａ  １２１Ｂ    スリット
１２２Ａ  １２２Ｂ    下部の両端部
１２３Ａ  １２３Ｂ  １２４Ａ  １２４Ｂ  １２６  切り込み
１２５１Ａ  １２５２Ａ  １２５１Ｂ  １２５２Ｂ    折筋
２    写真プリント
【図１（ａ）】
2006003410.tif 000003
【図１（ｂ）】
2006003410.tif 000004
【図２】
2006003410.tif 000005
【図３】
2006003410.tif 000006
【図４】
2006003410.tif 000007
【図５】
2006003410.tif 000008
【図６】
2006003410.tif 000009
【図７】
2006003410.tif 000010
【図８】
2006003410.tif 000011
【図９】
2006003410.tif 000012